(57)【要約】【課題】保守コストを増やすことなく、高効率にしてかつ低騒音／低消費電力の強制空冷装置を提供する。【解決手段】強制空冷装置は、回転方向が異なりかつ送風方向が同じ第１のファン及び第２のファンを備え、第１のファン及び第２のファンを、送風方向を軸として１８０度回転させると互いの位置が置き換わるように送風方向に垂直な面に配置したファンボックスと、ファンボックスを搭載する筐体とを有する。筐体内に、正立状態のファンボックスと、正立状態から送風方向を軸に１８０度回転させた倒立状態のファンボックスとを送風方向の前後に並べて搭載することにより、二重反転ファンを構成する。【選択図】図２
2011040630.tif 000002
【特許請求の範囲】
【請求項１】
回転方向が異なりかつ送風方向が同じ第１のファン及び第２のファンを備え、前記第１のファン及び前記第２のファンを、送風方向を軸として１８０度回転させると互いの位置が置き換わるように送風方向に垂直な面に配置したファンボックスと、
前記ファンボックスを搭載する筐体とを有し、
前記筐体内に、正立状態の前記ファンボックスと、正立状態から送風方向を軸に１８０度回転させた倒立状態の前記ファンボックスとを送風方向の前後に並べて搭載することにより、二重反転ファンを構成することを特徴とする強制空冷装置。
【請求項２】
前記ファンボックスは、
前記正立状態のときに前記筐体側に電気的に接続される第１のコネクタと、
前記倒立状態のときに前記筐体側に電気的に接続される第２のコネクタとを有し、
前記第１のファンの回転方向及び前記第２のファンの回転方向は、前記第１のコネクタ及び前記第２のコネクタのいずれが前記筐体側に接続されても一定であることを特徴とする請求項１に記載の強制空冷装置。
【請求項３】
前記筐体は、
前記第１のコネクタに接続される第１の筐体側コネクタと、
前記第２のコネクタに接続される第２の筐体側コネクタとを有することを特徴とする請求項１に記載の強制空冷装置。
【請求項４】
前記筐体は、
前記正立状態のファンボックスを搭載する第１のファンボックス搭載用スロットと、
前記倒立状態のファンボックスを搭載する第２のファンボックス搭載用スロットとを有することを特徴とする請求項１から３のいずれか１項に記載の強制空冷装置。
【請求項５】
前記第１のファンボックス搭載用スロットは、前記正立状態のファンボックスのみを搭載可能な形状を有し、
前記第２のファンボックス搭載用スロットは、前記倒立状態のファンボックスのみを搭載可能な形状を有し、
前記ファンボックスは、その外側表面の一部に、前記正立状態のときに前記第１のファンボックス搭載用スロットのみに搭載可能であり、かつ、前記倒立状態のときに前記第２のファンボックス搭載用スロットのみに搭載可能な形状を有することを特徴とする請求項４に記載の強制空冷装置。
【請求項６】
前記ファンボックスは、偶数個のファンを有し、前記偶数個のファンは、前記第１のファン及び前記第２のファンで構成されることを特徴とする請求項１から５のいずれか１項に記載の強制空冷装置。
【請求項７】
請求項１から６のいずれか１項に記載の強制空冷装置を備えたことを特徴とするコンピュータシステム。
【請求項８】
請求項１から６のいずれか１項に記載の強制空冷装置を備えたことを特徴とする電子装置。
【発明の詳細な説明】
【技術分野】
【０００１】
本発明は、二重反転ファンを構成するファンボックスを用いた強制空冷装置及びコンピュータシステムに関する。
【背景技術】
【０００２】
近年、強制空冷方式のコンピュータシステムにおいては、筐体内に搭載されるＣＰＵ（Central Processing Unit）等の部品の消費電力が増えかつ高密度実装が要求されることから、単位容積当たりの発熱量は増加の一途を辿っているため、ファン（ＦＡＮ）の送風能力を向上させる必要がある。
【０００３】
送風能力向上のため、回転方向が互いに異なる２組のファンから構成される二重反転ファンをつかったファンボックスを使用したりする方法（例えば、特許文献１参照）等が知られている。また、ファン故障時に送風が止まるのを防止する為に、回転方向が同じファンを使ったファンボックス（ＦＡＮ  Ｂｏｘ）を送風方向の前後に並べて二重化して搭載したりすることも一般的におこなわれている。
【０００４】
このうち、回転方向が同じファンの二重化を実現する際、一つの方法として複数のファンを送風方向とは垂直の平面状に並べたファンボックスを、送風方向の前後に並んで搭載する方法がある。この例を図１０に示す。
【０００５】
図１０において、コンピュータシステムの筐体３内の前面側（吸気側）３ａにおける後面側（排気側）３ａへの送風方向（風向き）Ｆ１の前側及び後側に並設した２個のファンボックス搭載用スロット（Ｓｌｏｔ）１１１、１１２に、２個のファンボックス１０１、１０２がそれぞれ搭載される。
【０００６】
前側のファンボックス１０１には、回転方向が時計回り（図中の矢印Ｒ１参照）の２個のファン１０１ａ、１０１ｂが、送風方向Ｆ１とは垂直の平面状に並んで配置される。同様に、後側のファンボックス１０２にも２個のファン１０２ａ、１０２ｂが配置される。
【０００７】
前側のファンボックス搭載用スロット１１１内の所定位置（図中の例では筐体３の底面上の左側面側）には、コネクタ１１１ａが配置され、前側のファンボックス１０１に設けたコネクタ１０１ｃに電気的に接続される。同様に、後側のファンボックス搭載用スロット１１２内にもコネクタ１１２ａが配置され、後側のファンボックス１０２に設けたコネクタ１０２ｃに電気的に接続される。
【０００８】
一方、二重反転ファンを使用した方法の例を図１１に示す。図１１において、コンピュータシステムの筐体３内の前面側３ａにおける後面側３ａへの送風方向Ｆ１とは垂直方向の左側及び右側に並設した２個のファンボックス搭載用スロット２１１、２１２に、２個のファンボックス２０１、２０２がそれぞれ搭載される。
【０００９】
左側のファンボックス２０１には、送風方向Ｆ１の前段側に回転方向が時計回り（図中の矢印Ｒ１参照）のファン、その後段側に回転方向が反時計回り（図中の矢印Ｒ２参照）のファンを配置してなる二重反転ファン２０１ａが設けられている。同様に、右側のファンボックス２０２にも二重反転ファン２０２ａが設けられている。
【００１０】
左側のファンボックス搭載用スロット２１１内の所定位置（図中の例では筐体３の底面上の左側面側）には、コネクタ２１１ａが配置され、左側のファンボックス２０１に設けたコネクタ２０１ｂに電気的に接続される。同様に、右側のファンボックス搭載用スロット２１２内にもコネクタ２１２ａが配置され、右側のファンボックス２０２に設けたコネクタ１０２ｃに電気的に接続される。
【００１１】
図１０に示す回転方向が同じファンを二重化した方法は、図１１に示す個々の二重反転ファンを使用した方法に比べ、ファンボックスの交換時に送風が止まらないというメリットがあるが、通常前後のファンボックスのファンの回転方向が同じである為、二重反転ファンより効率が悪くなる。
【００１２】
例えば、特許文献１に記載の二重反転ファンを用いた強制冷却方法によれば、ファン１個と比較して、二重反転ファンの場合、静圧は約１．５倍になり、風量は約１．５倍になり、騒音は１ホン減少するが、回転方向が同じファンを二重にした場合、静圧は約１．５倍になるが、風量は増加せず、騒音は増加すると記載されている。その結果、同じ冷却能力を出す為には、その分ファンの回転数を上げる必要があり、ファンの消費電力、騒音とも増大する。
【００１３】
その対策として、ファンの回転方向が異なる２種のファンボックスを用意し、前後で異なる回転方向のファンボックスを搭載するようにする方法が考えられる。この例を図１２に示す。
【００１４】
図１２において、コンピュータシステムの筐体３内の前面側３ａにおける後面側３ａへの送風方向（風向き）Ｆ１の前側及び後側に並設した２個のファンボックス搭載用スロット（Ｓｌｏｔ）３１１、３１２に、２個のファンボックス３０１、３０２がそれぞれ搭載される。
【００１５】
前側のファンボックス３０１には、回転方向が時計回り（図中の矢印Ｒ１参照）の２個のファン３０１ａ、３０１ｂが、送風方向Ｆ１とは垂直の平面状に並んで配置される。これに対し、後側のファンボックス３０２には、回転方向が反時計回り（図中の矢印Ｒ２参照）の２個のファン３０２ａ、３０２ｂが、送風方向Ｆ１とは垂直の平面状に並んで配置される。
【００１６】
前側のファンボックス搭載用スロット３１１内の所定位置（図中の例では筐体３の底面上の左側面側）には、コネクタ３１１ａが配置され、前側のファンボックス３０１に設けたコネクタ３０１ｃに電気的に接続される。同様に、後側のファンボックス搭載用スロット３１２内にもコネクタ３１２ａが配置され、後側のファンボックス３０２に設けたコネクタ３０２ｃに電気的に接続される。
【００１７】
図１２の場合、回転方向が時計回りのファンを搭載したファンボックスと、回転方向が反時計回りのファンを搭載したファンボックスの、二種類のファンボックスが必要となるため、保守部品が増えてしまう。
【先行技術文献】
【特許文献】
【００１８】
【特許文献１】特開平０２−２３８１９５号公報
【発明の概要】
【発明が解決しようとする課題】
【００１９】
前述した強制空冷方式のコンピュータシステムにおいては、次のような課題がある。
【００２０】
第１の課題は、筐体内に搭載される部品の消費電力が増えかつ高密度実装が要求されることから単位容積当たりの発熱量は増加の一途を辿っているため、ファンの送風能力を向上させる必要があるということである。
【００２１】
第２の課題は、送風能力向上のためファンの回転数を増加させる場合、騒音およびファンの消費電力が増大するということである。
【００２２】
第３の課題は、送風能力向上のため二重反転ファンをつかったファンボックスを使用した場合、故障等によるファンボックスの交換中エアフローの一部が止まってしまうことである。これは、ファンボックスの交換時間に制限が付き、保守ミス等で交換時間が守られなかった時にコンピュータシステムがダウンしてしまう可能性があることを意味する。そこまで行かなくても、止まったエアフローで冷却されていた部品の温度が急上昇し、部品の寿命に悪影響を与える可能性がある。
【００２３】
第４の課題は、送風能力向上のためファンの回転方向および羽根の捻り方向が異なる２種類のファンボックスを使用した場合、保守部品が増える為、保守コストが増大してしまうことである。
【００２４】
本発明の目的は、上記課題を解決し、保守コストを増やすことなく、高効率にしてかつ低騒音／低消費電力の強制空冷装置を提供することにある。
【課題を解決するための手段】
【００２５】
上記目的を達成するため、本発明に係る強制空冷装置は、回転方向が異なりかつ送風方向が同じ第１のファン及び第２のファンを備え、前記第１のファン及び前記第２のファンを、送風方向を軸として１８０度回転させると互いの位置が置き換わるように送風方向に垂直な面に配置したファンボックスと、前記ファンボックスを搭載する筐体とを有し、前記筐体内に、正立状態の前記ファンボックスと、正立状態から送風方向を軸に１８０度回転させた倒立状態の前記ファンボックスとを送風方向の前後に並べて搭載することにより、二重反転ファンを構成することを特徴とする。
【発明の効果】
【００２６】
本発明によれば、次のような効果を得ることができる。
【００２７】
第１の効果は、二重反転ファンの状態を構成しているので、効率が良くその分ファンの回転数を下げ、騒音および消費電力を低下させることができることである。
【００２８】
第２の効果は、１種類のファンボックスのみで実現しているので、保守部品を増やさずにすむ、すなわち保守コストを増やさずにすむことである。
【図面の簡単な説明】
【００２９】
【図１】本発明の実施の形態に係る強制空冷装置で用いる２個のファンを有するファンボックスの構成を示す図で、（ａ）は正面図、（ｂ）は上面図、（ｃ）は下面図、（ｄ）は左側面図、（ｅ）は右側面図である。
【図２】図１に示すファンボックスを用いて二重反転ファンを構成する強制空冷装置を示す斜視図である。
【図３】図２に示す二重反転ファンを構成するファンボックスによる筐体内のエアフローを説明する上面図である。
【図４】その他の実施の形態に係る強制空冷装置で用いる２個のファンを横方向に有するファンボックスの構成を示す正面図である。
【図５】（ａ）、（ｂ）は、その他の実施の形態に係る強制空冷装置で用いる２個のファンを縦方向に有するファンボックスの構成を示す正面図である。
【図６】（ａ）、（ｂ）は、その他の実施の形態に係る強制空冷装置で用いる４個のファンを横方向に有するファンボックスの構成を示す正面図である。
【図７】（ａ）、（ｂ）は、その他の実施の形態に係る強制空冷装置で用いる４個のファンを縦及び横方向に有するファンボックスの構成を示す正面図である。
【図８】（ａ）〜（ｃ）は、その他の実施の形態に係る強制空冷装置で用いる６個のファンを縦及び横方向に有するファンボックスの構成を示す正面図である。
【図９】（ａ）〜（ｃ）は、その他の実施の形態に係る強制空冷装置で用いる８個のファンを縦及び横方向に有するファンボックスの構成を示す正面図である。
【図１０】関連技術のファンを二重化した強制空冷装置を説明する斜視図である。
【図１１】関連技術の二重反転ファンを用いた強制空冷装置を説明する斜視図である。
【図１２】関連技術のファンの回転方向が異なる２種のファンボックスを用いた強制空冷装置を説明する斜視図である。
【発明を実施するための形態】
【００３０】
次に、本発明の実施の形態について、図面を参照して詳細に説明する。
【００３１】
本実施の形態に係る強制空冷装置は、強制空冷方式のコンピュータシステムにおいて、１種類のファンボックスにて二重反転ファンの状態を構成できるようにしたものである。すなわち、この強制空冷装置は、１つのファンボックスに、回転方向が異なりかつ送風方向が同じ２種類のファン（第１及び第２のファン）を、送風方向を軸として１８０度回転させると互いの位置が置き換わるように送風方向に垂直な面に配置し、筐体内に、このファンボックスを送風方向の前後に正立状態と倒立状態とで搭載することにより、二重反転ファンの状態を構成している。
【００３２】
具体的には、本実施の形態では、送風方向とは垂直の平面上に複数のファンを左右に並べたファンボックスにおいて、右側と左側で回転方向が異なりかつ羽根の捻り方向も異なるファンを搭載し、かつファンボックスは正立状態と倒立状態の両方の状態で筐体に搭載かつ動作可能とする。また、ファンボックスを搭載する筐体において、ファンボックスはファン二重化のため送風方向の前後に並んで搭載されるが、筐体は前後でファンボックスの上下を変えて搭載できるようにする。
【００３３】
このようにして、本実施の形態では、１種類のファンボックスのみを使用して二重反転ファンの状態を構成しているので、保守部品を増やすことなくファンの消費電力や騒音を低下させることができる。
【００３４】
図１を参照すると、本実施の形態に係る強制空冷装置で用いるファンボックス１が示されている。図１に示すファンボックス１は、矩形状（長方形状）の本体内に、回転方向が異なりかつ羽根の捻り方向も異なる（したがって回転方向は異なるが、送風方向は同じ）２種類のファン、すなわち第１のファン１０と第２のファン１１を備え、第１のファン１０は、回転方向が時計回り（図中の矢印Ｒ１参照）、第２のファン１１は、回転方向が反時計回り（図中の矢印Ｒ２参照）となっている。
【００３５】
すなわち、ファンボックス１の右側には、回転方向が時計回りの第１のファン１０が、ファンボックス１の左側には、回転方向が反時計回りの第２のファン１１がそれぞれ配置され、第１のファン１０と第２のファン１１は、回転方向だけでなく羽根の捻り方向も逆となっている。このため、第１のファン１０と第２のファン１１とが回転すると、両方とも冷却風は、図１の前から後ろに流れる。
【００３６】
また、ファンボックス１は、その上下両方に筐体（非図示）との電気的な接続用のコネクタ２０、２１を備え、正立状態と倒立状態の両方の状態でコンピュータシステムの筐体（図２、図３参照）に搭載／動作可能となっている。
【００３７】
すなわち、ファンボックス１は、筐体との電気的な接続用のコネクタについて、ファンボックス１の下面と上面の両方に、各々、第１のコネクタ２１と第２のコネクタ２０とを備え、第１のコネクタ２１と第２のコネクタ２０とのどちらか片方が筐体側のコネクタ（非図示）と接続されれば、ファンボックス１は正常に動作可能となっている。なお、第１のコネクタ２１と第２のコネクタ２０のどちらが接続されても、ファンボックス１内の個々の第１のファン１０と第２のファン１１の回転方向は変わらないように設定されている。
【００３８】
図２は、図１に示したファンボックス１を搭載する筐体３の構成例を示す図である。図２の例では、ファンの回転方向を分かりやすくする為、ファンボックス１を引き出した状態となっている。なお、図２において、筐体３内に搭載される冷却対象となるＣＰＵ等の部品／回路は、いずれでも適用可能であり、本発明とは直接関係しないので、その詳細な構成については省略する。
【００３９】
図２において、筐体３には、ファン二重化の為、図１に示すファンボックス１と同様の２つのファンボックス１−１と１−２とが、冷却風の送風方向Ｆ１の前後に並んで搭載される。このため、筐体３には、送風方向Ｆ１の前後に、第１のファンボックス搭載用スロット４と、第２のファンボックス搭載用スロット５とが設けられる。風上側に存在する第１のファンボックス搭載用スロット４には、ファンボックス１−１が正立状態で搭載される。風下側に存在する第２のファンボックス搭載用スロット５には、ファンボックス１−２が倒立状態で搭載される。ここで倒立状態とは、正立状態から送風方向を軸に１８０°回転させた状態である。
【００４０】
このように、筐体３は、第１のファンボックス搭載用スロット４と、第２のファンボックス搭載用スロット５とを有し、第１のファンボックス搭載用スロット４は筐体３の前側すなわち風上側に存在し、正立状態のファンボックス１−１を搭載する一方、第２の第２のファンボックス搭載用スロット５は、筐体３の後側すなわち風下側に存在し、倒立状態のファンボックス１−２を搭載する。
【００４１】
両ファンボックス搭載用スロット４、５ともファンボックス１−１、１−２との電気的な接続用の第１の筐体側コネクタ６、第２の筐体側コネクタ７を備えている。第１の筐体側コネクタ６、第２の筐体側コネクタ７は、ファンボックス１−１、１−２の搭載時は、各々第１のコネクタ２１−１、第２のコネクタ２０−２と接続される。この時、ファンボックス１−１、１−２の残りの第２のコネクタ２０−１、第１のコネクタ２１−２は、筐体３と接続されず、未使用状態となる。
【００４２】
筐体３に両ファンボックス１−１、１−２を搭載した時、第１のファンボックス搭載用スロット４において、筐体３の右側の第１のファン１０−１の回転方向は時計回り、左側の第２のファン１１−１は反時計回りであり、第２のファンボックス搭載用スロット５において、筐体３の右側の第２のファン１１−２の回転方向は反時計回り、左側の第１のファン１０−２は時計回りである。
【００４３】
次に、図２の筐体３に両ファンボックス１−１、１−２を搭載した時のエアフローとファンの回転方向の対応を、図３を使用して説明する。
【００４４】
図３は、筐体３を上から見た図である。図３において、筐体３の右側のエアフローＦ１１においては、まず時計回りの第１のファン１０−１を通過しその後反時計回りの第２のファン１１−２を通過することになる。一方、筐体の左側のエアフローＦ１２においては、まず反時計周りの第１のファン１１−１を通過し、その後、時計回りの第２のファン１０−２を通過することになる。
【００４５】
すなわち、筐体３の右側のエアフローＦ１１においては、空気はまず回転方向が時計回りの第１のファン１０−１で吸気され、次に回転方向が反時計回りの第２のファン１１−２によって筐体３内に吐出される。一方、筐体３の左側のエアフローＦ１２においては、空気はまず回転方向が反時計回りの第２のファン１１−１で吸気され、次に回転方向が時計回りの第１のファン１０−２によって筐体３内に吐出される。
【００４６】
このように、両方のエアフローＦ１１、Ｆ１２において、空気が通過する２つのファンは、回転方向が逆の関係となっている。すなわち、各エアフロー単位にみると、二重反転ファンと同じ状態が構成されている。
【００４７】
したがって、各エアフローＦ１１、Ｆ１２において、二重反転ファンの状態が構成され、二重反転ファンは、同一のファン、すなわち回転方向が同じでかつ羽根のねじり方向も同じものを前後に並べたものより効率が上がる為、同じ冷却能力が必要な場合、その分回転数を減らすことができ、その結果、ファンの消費電力や騒音が低下する。
【００４８】
なお、上記実施の形態では、筐体へのファンボックスの誤実装防止の為、一工夫加えている。
【００４９】
図１において、ファンボックス１は、その外側表面（正面、背面、右側面、左側面、上面、下面（底面））のうち、上面から見たときに長方形の右手前側の角部がその正面及び右側面に対して斜めの方向に切り離された形（変形５角形）となる誤実装防止用の角部形状（図中の符号３０参照）を有する。この角部形状は、図２、図３の例では、正立状態のファンボックス１−１では右側面側に位置する角部形状３０−１、倒立状態のファンボックス３０−２では左側面側に位置する角部形状３０−１にそれぞれ対応する。一方、図２、図３において、筐体３の第１のファンボックス搭載スロット４は上から見たときに長方形の右手前側の角が張り出した形（図２の符号４ａ参照）、第２のファンボックス搭載スロット５は上から見たときに長方形の左手前側の角が張り出した形（図２の符号５ａ参照）となっている。
【００５０】
これにより、第１のファンボックス搭載スロット４には、正立状態のファンボックス１−１のみが搭載可能となり、第２のファンボックス搭載スロット５には、倒立状態のファンボックス１−２のみが搭載可能となる。したがって、第１のファンボックス搭載スロット４に倒立状態のファンボックス１−２を搭載したり、第２のファンボックス搭載スロット５に正立状態のファンボックス１−１を搭載したりすることが不可能となっている。また、送風方向を軸にファンボックスを中心回りに１８０°回転させた状態ではなく、ファンボックスの長辺方向を軸に１８０°回転させた状態のファンボックスを搭載することも不可能となっている。
【００５１】
以上説明したように、本実施の形態においては、強制空冷方式のコンピュータシステムにおいて、１つのファンボックスに、回転方向が異なる２種類のファンを、送風方向を軸として１８０度回転させると互いの位置が置き換わるように配置し、このファンボックスを２個用いてその各々を送風方向の前後に正立状態と倒立状態で搭載することにより、二重反転ファンの状態を構成している。すなわち、本実施の形態では、１種類のファンボックスにて二重反転ファンの状態を構成できるようにしたため、以下に記載するような効果を奏する。
【００５２】
第１の効果は、二重反転ファンの状態を構成しているので、効率が良くその分ファンの回転数を下げ騒音および消費電力を低下させることができることである。
【００５３】
第２の効果は、１種類のファンボックスのみで実現しているので、保守部品を増やさずにすむ、すなわち保守コストを増やさずにすむことである。
【００５４】
（その他の実施の形態）
なお、本発明は上記の実施の形態に限定されるものではなく、以下、その他の実施の形態について説明する。
【００５５】
まず、上記実施の形態では、風上側の第１のファンボックス搭載スロット４には正立状態のファンボックス１−１を、風下側の第２のファンボックス搭載スロット５には倒立状態のファンボックス１−２を搭載していたが、風上側の第１のファンボックス搭載スロット４には倒立状態のファンボックス１−２を、風下側の第２のファンボックス搭載スロット５には正立状態のファンボックス１−１を搭載するようにしても良い。
【００５６】
また、上記実施の形態では、ファンボックス内の右側のファンの回転方向を時計回り、左側のファンを反時計回りとしていたが、回転方向（と羽根の捻り方向）が反対のファンの組み合わせであれば良く、例えば図４に示すようにファンボックス１の左右方向に並べて配置した２つのファンのうち、右側のファンを回転方向が反時計回り（矢印Ｒ２参照）の第２のファン１１、左側のファンを回転方向が時計回り（矢印Ｒ１参照）の第１のファン１０とした構成でも良い。なお、回転方向（と羽根の捻り方向）が反対のファンの組み合わせであれば良いのは、下記の別構成の時も同じである。
【００５７】
また、上記実施の形態では、ファンボックス内のファンの数を２個とし、ファンを横に並べていたが、縦に並べた構成でも良い。その例を図５（ａ）、（ｂ）に示す。
【００５８】
図５（ａ）は、ファンボックス１の上下方向に並べて配置した２個のファンのうち、上側のファンは回転方向が時計回り（矢印Ｒ１参照）の第１のファン１０、下側のファンは回転方向が反時計回り（矢印Ｒ２参照）の第２のファン１１とする構成である。図５（ｂ）は、その逆で、ファンボックス１の上下方向に並べて配置した２個のファンのうち、上側のファンは回転方向が反時計回り（矢印Ｒ２参照）の第２のファン１１、下側のファンは回転方向が時計回り（矢印Ｒ１参照）の第１のファン１０とする構成である。
【００５９】
また、ファンボックス内のファンの数も２個と限らず、偶数であれば、本発明の効果を実現するファンの並べ方が存在する。ファンの数が奇数の場合、例えばファンを縦方向に３個、横方向に３個並べた計９個のような構成では適用することはできない。
【００６０】
図６（ａ）、（ｂ）に、ファンを横方向に４個並べた場合の例を示す。
【００６１】
図６（ａ）は、ファンボックス１に配置した４個のファンのうち、中央左側１個と右側端部１個のファンは回転方向が時計回り（矢印Ｒ１参照）の第１のファン１０、中央右側１個と左側端部１個のファンは回転方向が反時計回り（矢印Ｒ２参照）の第２のファン１１とする構成である。
【００６２】
図６（ｂ）は、ファンボックス１に配置した４個のファンのうち、右側２個のファンは回転方向が時計回り（矢印Ｒ１参照）の第１のファン１０、左側２個のファンは回転方向が反時計回り（矢印Ｒ２参照）の第２のファン１１とする構成である。
【００６３】
図７（ａ）〜（ｃ）に、ファンを縦方向に２個、横方向に２個並べた計４個の例を示す。
【００６４】
図７（ａ）は、ファンボックス１に配置した４個のファンのうち、上側２個のファンは回転方向が時計回り（矢印Ｒ１参照）の第１のファン１０、下側２個のファンは回転方向が反時計回り（矢印Ｒ２参照）の第２のファン１１とする構成である。
【００６５】
図７（ｂ）は、ファンボックス１に配置した４個のファンのうち、右側２個のファンは回転方向が時計回り（矢印Ｒ１参照）の第１のファン１０、左側２個のファンは回転方向が反時計回り（矢印Ｒ２参照）の第２のファン１１とする構成である。
【００６６】
図８（ａ）〜（ｃ）に、ファンを縦方向に２個、横方向に３個並べた計６個の場合の例を示す。この場合、本発明の効果を実現するファンの並べ方として、例えば図８（ａ）〜（ｂ）に示すものが存在する。
【００６７】
図８（ａ）は、ファンボックス１に並べて配置した６個のファンのうち、上側３個のファンは回転方向が時計回り（矢印Ｒ１参照）の第１のファン１０、下側３個のファンは回転方向が反時計回り（矢印Ｒ２参照）の第２のファン１１とする構成である。
【００６８】
図８（ｂ）は、ファンボックス１に並べて配置した６個のファンのうち、右側２個と中央上側の１個のファンは回転方向が時計回り（矢印Ｒ１参照）の第１のファン１０、左側２個と中央下側の１個のファンは回転方向が反時計回り（矢印Ｒ２参照）の第２のファン１１とする構成である。
【００６９】
図８（ｃ）は、ファンボックス１に並べて配置した６個のファンのうち、右上側と中央下側と左上側のファンは回転方向が時計周り（矢印Ｒ１参照）の第１のファン１０、右下側と中央上側と左下側のファンは回転方向が反時計周り（矢印Ｒ２参照）の第２のファン１１とする構成である。
【００７０】
図９（ａ）〜（ｃ）には、ファンを縦方向に２個、横方向に４個並べた計８個の場合の例を示す。ファンボックス１を、送風方向Ｆを軸として中心回りに１８０°回転させたときに、ファンボックス内の全てのファンの位置で、ファンの回転方向（と羽根の捻り方向）が互いに逆になる構成であれば良い。
【００７１】
図９（ａ）は、ファンボックス１に並べて配置した８個のファンのうち、上側４個のファンは回転方向が時計回り（矢印Ｒ１参照）の第１のファン１０、下側４個のファンは回転方向が反時計回り（矢印Ｒ２参照）の第２のファン１１とする構成である。
【００７２】
図９（ｂ）は、ファンボックス１に並べて配置した８個のファンのうち、中央右側２個と右側端部２個のファンは回転方向が時計回り（矢印Ｒ１参照）の第１のファン１０、中央左側２個と左側端部２個のファンは回転方向が反時計回り（矢印Ｒ２参照）の第２のファン１１とする構成である。
【００７３】
図９（ｃ）は、ファンボックス１に並べて配置した８個のファンのうち、中央左側２個と右側端部２個のファンは回転方向が時計周り（矢印Ｒ１参照）の第１のファン１０、中央右側２個と左側端部２個のファンは回転方向が反時計周り（矢印Ｒ２参照）の第２のファン１１とする構成である。
【００７４】
また、上記実施例では、ファンボックス搭載スロットが筐体の吸気側（前面側）に存在するが、排気側（後面側）にした構成でも良い。
【００７５】
また、上記実施例では、ファンボックスの誤実装防止の為、ファンボックスおよびファンボックス搭載スロット共に上から見たときに変形５角形となるようにしているが、別の方法で誤実装防止を実現しても良い。
【００７６】
さらに、上記実施の形態では、ファンボックスをコンピュータシステムに適用した場合を説明しているが、本発明は必ずしもこれに限らず、他の電子装置でも適用可能である。
【００７７】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【産業上の利用可能性】
【００７８】
本発明は、二重反転ファンを構成するファンボックス、これを用いた強制空冷装置、これを搭載したコンピュータシステム等の電子装置の用途に利用可能である。
【符号の説明】
【００７９】
１、１−１、１−２  ファンボックス
３  筐体
３ａ  前面側（吸気側）
３ｂ  後面側（排気側）
４  第１のファンボックス搭載用スロット
５  第２のファンボックス搭載用スロット
６  第１の筐体側コネクタ
７  第２の筐体側コネクタ
１０、１０−１、１０−２  第１のファン
１１、１１−１、１１−２  第２のファン
２０、２０−１、２０−２  第２のコネクタ
２１、２１−１、２２−２  第１のコネクタ
３０、３０−１、３０−２  誤実装防止用の角部形状
Ｒ１  時計回り
Ｒ２  反時計回り
Ｆ１  送風方向（風向き）
Ｆ１１  左側エアフロー
Ｆ１２  右側エアフロー
【図１】
2011040630.tif 000003
【図２】
2011040630.tif 000004
【図３】
2011040630.tif 000005
【図４】
2011040630.tif 000006
【図５】
2011040630.tif 000007
【図６】
2011040630.tif 000008
【図７】
2011040630.tif 000009
【図８】
2011040630.tif 000010
【図９】
2011040630.tif 000011
【図１０】
2011040630.tif 000012
【図１１】
2011040630.tif 000013
【図１２】
2011040630.tif 000014